(57)【要約】【課題】吊線から外れてしまうことを防止する構造を有する通信ケーブル支持部材を提供する。【解決手段】電柱間に架設された吊線に通信ケーブルを支持するために、吊線に取り付けられる通信ケーブル支持部材であって、通信ケーブルを通す通信ケーブル受留部と、通信ケーブル受留部を吊線に取り付けるために、通信ケーブル受留部の一端に設けられて吊線と係合する第１の係合部と、通信ケーブル受留部を吊線に取り付けるために、通信ケーブル受留部の他端に設けられて吊線と係合する第２の係合部と、を有している。通信ケーブル支持部材が吊線に取り付けられた状態で、第１の係合部が、吊線を取り囲むように係合すると共に、通信ケーブル支持部材が吊線に取り付けられた状態で、第２の係合部が吊線を取り囲むように係合する。【選択図】 図２
2018113820.tif 000002
【特許請求の範囲】
【請求項１】
電柱間に架設された吊線に通信ケーブルを支持するために、前記吊線に取り付けられる通信ケーブル支持部材であって、
前記通信ケーブルを通す通信ケーブル受留部と、
前記通信ケーブル受留部を前記吊線に取り付けるために、前記通信ケーブル受留部の一端に設けられて前記吊線と係合する第１の係合部と、
前記通信ケーブル受留部を前記吊線に取り付けるために、前記通信ケーブル受留部の他端に設けられて前記吊線と係合する第２の係合部とを有し、
前記通信ケーブル支持部材が前記吊線に取り付けられた状態で、前記第１の係合部が、前記吊線を取り囲むように係合すると共に、
前記通信ケーブル支持部材が前記吊線に取り付けられた状態で、前記第２の係合部が前記吊線を取り囲むように係合することを特徴とする通信ケーブル支持部材。
【請求項２】
前記通信ケーブル受留部が、前記通信ケーブルを受け留るように形成され、その受留部の両端からそれぞれ上方に延びる第１および第２の伸延部を有していることを特徴とする請求項１に記載の通信ケーブル支持部材。
【請求項３】
前記第１の係合部が、前記第１の伸延部の先端から水平方向に一体的に延びる第３の伸延部と、前記第３の伸延部から垂直上方向に一体的に延びる第４の伸延部と、前記第４の伸延部から一体的に延びる第５の伸延部と、前記第５の伸延部から一体的に延びる第６の伸延部とからなっていることを特徴とする請求項２に記載の通信ケーブル支持部材。
【請求項４】
前記第３の伸延部は、水平面上において、前記通信ケーブル受留部に対して、第１の所定角度で設けられ、前記第５の伸延部は、前記第３の伸延部に対して、第２の所定角度で設けられ、前記第６の伸延部は、前記第５の伸延部に対して、第３の所定角度で設けられていることを特徴とする請求項３に記載の通信ケーブル支持部材。
【請求項５】
前記第５の伸延部は、側面上において、前記第４の伸延部に対して、第７の所定角度で設けられ、前記第６の伸延部は、前記第５の伸延部に対して、第８の所定角度で設けられていることを特徴とする請求項４に記載の通信ケーブル支持部材。
【請求項６】
前記第１の係合部の前記第３の伸延部と、前記第４の伸延部と、前記第５の伸延部と、前記第６の伸延部とが、前記吊線３を取り囲むように係合することを特徴とする請求項３〜５のいずれかに記載の通信ケーブル支持部材。
【請求項７】
前記通信ケーブル支持部材が前記吊線に取り付けられた状態において、前記吊線の下方向に、前記第３の伸延部と前記第６の伸延部とが位置し、前記吊線の上方向に、前記第５の伸延部が位置し、前記吊線の左右方向に、前記第４の伸延部と前記第５の伸延部とが位置することを特徴とする請求項６に記載の通信ケーブル支持部材。
【請求項８】
前記第２の係合部が、前記第２の伸延部の先端から水平方向に一体的に延びる第７の伸延部と、前記第７の伸延部から垂直上方向に一体的に延びる第８の伸延部と、前記第８の伸延部から水平方向に一体的に延びる第９の伸延部と、前記第９の伸延部から垂直下方向に一体的に延びる第１０の伸延部と、前記第１０の伸延部から水平方向に一体的に延びる第１１の伸延部と、前記第１１の伸延部から垂直上方向に一体的に延びる第１２の伸延部と、からなっていることを特徴とする請求項２に記載の通信ケーブル支持部材。
【請求項９】
前記第７の伸延部は、水平面上において、前記通信ケーブル受留部に対して、第４の所定角度で設けられ、前記第９の伸延部は、前記第７の伸延部に対して、第５の所定角度で設けられ、前記第１１の伸延部は、前記第９の伸延部に対して、第６の所定角度で設けられていることを特徴とする請求項８に記載の通信ケーブル支持部材。
【請求項１０】
前記第２の係合部の前記第７の伸延部と、前記第８の伸延部と、前記第９の伸延部と、前記第１０の伸延部と、前記第１１の伸延部と、前記第１２の伸延部とが、前記吊線を取り囲むように係合することを特徴とする請求項８および９のいずれかに記載の通信ケーブル支持部材。
【請求項１１】
前記通信ケーブル支持部材が前記吊線に取り付けられた状態において、前記吊線の下方向に、前記第７の伸延部と前記第１１の伸延部とが位置し、前記吊線の上方向に、前記第９の伸延部が位置し、前記吊線の左右方向に、前記第８の伸延部と前記第１０の伸延部と前記第１２の伸延部が位置することを特徴とする請求項１０に記載の通信ケーブル支持部材。
【発明の詳細な説明】
【技術分野】
【０００１】
本発明は、電柱間に架設された吊線に配設して通信ケーブルを支持するための通信ケーブル支持部材に関するものである。
【背景技術】
【０００２】
従来、電柱間に架設された吊線に、通信ケーブルを支持するための通信ケーブル支持部材を複数配設し、その通信ケーブル支持部材に通信ケーブルを通すことにより、通信ケーブルを吊線に支持する方法が行われていた。
【０００３】
この通信ケーブル支持部材の従来例としては、図８に示すようなものが提案されていた。
【０００４】
図８は、従来の通信ケーブル支持部材を示す正面図である。
【０００５】
すなわち、図８に示すように、通信ケーブル支持部材１０１は、通信ケーブルを受け留めるように半円形状に形成された通信ケーブル受留部１０１ａと、その通信ケーブル受留部１０１ａの両端からそれぞれ上方に延びる第１および第２の伸延部１０１ｂ、１０１ｃとを有しており、第１の伸延部１０１ｂの先端には、電柱に架設された吊線３に係合する第１の係合部１０１ｄが設けられ、第２の伸延部１０１ｃの先端には、電柱に架設された吊線３に係合する第２の係合部１０１ｅが設けられている。
【０００６】
そして、図８に示すように、電柱間に架設された吊線３に第１および第２の係合部１０１ｄ、１０１ｅが係合された状態で、通信ケーブル受留部１０１ａへ通信ケーブル（図示省略）を通すことにより、吊線３に通信ケーブルが支持されることとなる。
【０００７】
なお、電柱間に架設された吊線３に通信ケーブル支持部材１０１を取り付け易くするために、第１および第２の係合部１０１ｄ、１０１ｅはそれぞれ異った形状となっていた。
【０００８】
すなわち、第１の係合部１０１ｄは、吊線３に深く係合するＣ字形状をしており、第２の係合部１０１ｅは、吊線３に浅く係合する形状となっており、吊線３に第１および第２の係合部１０１ｄ、１０１ｅを係合する方法としては、まず、吊線３に第１の係合部１０１ｄを引っ掛けて深く係合させ、次に、吊線３に第２の係合部１０１ｅを引っ掛けて浅く係合させるようにしていた。
【０００９】
すなわち、作業者が、吊線３に通信ケーブル支持部材１０１を取り付け易くするために、第１の係合部１０１ｄは吊線３に深く係合するＣ字形状をしており、第２の係合部１０１ｅは、吊線３に浅く係合する形状となっていた。
【００１０】
つまり、図８に示す従来の通信ケーブル支持部材では、第１および第２の係合部１０１ｄ、１０１ｅの両方が吊線３に深く係合する形状だと、一方の係合部を取り付けた後の、他方の係合部の取り付け作業が困難となってしまうものであった。
【先行技術文献】
【特許文献】
【００１１】
【特許文献１】特開２０００−２２４７４２号公報
【特許文献２】実開昭６１−１０１９０６号公報
【発明の概要】
【発明が解決しようとする課題】
【００１２】
しかしながら、上述したような従来の通信ケーブル支持部材では、通常は十分にその機能を果たすが、以下に説明するように横方向やその他の方向に外圧が加わると、時として通信ケーブル支持部材が吊線から外れ、通信ケーブルを支持する機能を果たせなくなるという問題があった。
【００１３】
すなわち、吊線に通信ケーブル支持部材が取り付けられ、その通信ケーブル支持部材に通信ケーブルが通されて支持されている状態で、例えば、突風やロータリー除雪車より飛ばされた雪などがその横方向Ａ（図８では、紙面に向かっての方向）やその他の方向から通信ケーブル支持部材および通信ケーブルに当たると、通信ケーブル支持部材および通信ケーブルに大きな力が加わる。
【００１４】
そのような横やその他の方向からの大きな力が通信ケーブル支持部材および通信ケーブルに加わると、通信ケーブル支持部材が吊線から外れてしまう場合もあった。
【００１５】
複数の通信ケーブル支持部材が吊線から外れてしまうと、通信ケーブル支持部材が地上に落下して危険であるだけでなく、通信ケーブルが支持を失って、大きく垂れ下がって地上に近づき交通の障害となる危険性もあった。
【００１６】
なお、通信ケーブル支持部材が吊線から外れてしまうパターンとしては、吊線に浅く係合する形状の第２の係合部が先に係合から外れ、通信ケーブル支持部材の全体のバランスが崩れ、それにより、通信ケーブル支持部材が不安定な状態となり、吊線に深く係合する第１の係合部も外れてしまうと考えられる。
【００１７】
通信ケーブル支持部材が吊線から外れてしまうと、もう一度付け直す必要があり、大変な労力がかかってしまうものであった。
【００１８】
また、通信ケーブル支持部材が吊線から外れてしまう可能性があると、定期的に安全を監視する必要も生じ、安全確保のための作業が増えてしまう問題もあった。
【００１９】
本発明の目的は、吊線から外れることを防止する構造を有する通信ケーブル支持部材を提供することである。
【００２０】
本発明の他の目的は、横方向やその他の方向からの力が加わっても吊線から外れない通信ケーブル支持部材を提供することである。
【課題を解決するための手段】
【００２１】
本発明は上述の問題を解決するためのものであり、請求項１に係る発明は、電柱間に架設された吊線に通信ケーブルを支持するために、前記吊線に取り付けられる通信ケーブル支持部材であって、
前記通信ケーブルを通す通信ケーブル受留部と、
前記通信ケーブル受留部を前記吊線に取り付けるために、前記通信ケーブル受留部の一端に設けられて前記吊線と係合する第１の係合部と、
前記通信ケーブル受留部を前記吊線に取り付けるために、前記通信ケーブル受留部の他端に設けられて前記吊線と係合する第２の係合部とを有し、
前記通信ケーブル支持部材が前記吊線に取り付けられた状態で、前記第１の係合部が、前記吊線を取り囲むように係合すると共に、
前記通信ケーブル支持部材が前記吊線に取り付けられた状態で、前記第２の係合部が前記吊線を取り囲むように係合することを特徴とする。
【００２２】
請求項２に係る発明は、請求項１に記載の通信ケーブル支持部材において、前記通信ケーブル受留部が、前記通信ケーブルを受け留るように形成され、その受留部の両端からそれぞれ上方に延びる第１および第２の伸延部を有していることを特徴とする。
【００２３】
請求項３に係る発明は、請求項２に記載の通信ケーブル支持部材において、前記第１の係合部が、前記第１の伸延部の先端から水平方向に一体的に延びる第３の伸延部と、前記第３の伸延部から垂直上方向に一体的に延びる第４の伸延部と、前記第４の伸延部から一体的に延びる第５の伸延部と、前記第５の伸延部から一体的に延びる第６の伸延部と、からなっていることを特徴とする。
【００２４】
請求項４に係る発明は、請求項３に記載の通信ケーブル支持部材において、前記第３の伸延部は、水平面上において、前記通信ケーブル受留部に対して、第１の所定角度で設けられ、前記第５の伸延部は、前記第３の伸延部に対して、第２の所定角度で設けられ、前記第６の伸延部は、前記第５の伸延部に対して、第３の所定角度で設けられていることを特徴とする。
【００２５】
請求項５に係る発明は、請求項４に記載の通信ケーブル支持部材において、前記第５の伸延部は、側面上において、前記第４の伸延部に対して、第７の所定角度で設けられ、前記第６の伸延部は、前記第５の伸延部に対して、第８の所定角度で設けられていることを特徴とする。
【００２６】
請求項６に係る発明は、請求項３〜５のいずれかに記載の通信ケーブル支持部材において、前記第１の係合部の前記第３の伸延部と、前記第４の伸延部と、前記第５の伸延部と、前記第６の伸延部とが、前記吊線３を取り囲むように係合することを特徴とする。
【００２７】
請求項７に係る発明は、請求項６に記載の通信ケーブル支持部材において、前記通信ケーブル支持部材が前記吊線に取り付けられた状態において、前記吊線の下方向に、前記第３の伸延部と前記第６の伸延部とが位置し、前記吊線の上方向に、前記第５の伸延部が位置し、前記吊線の左右方向に、前記第４の伸延部と前記第５の伸延部とが位置することを特徴とする。
【００２８】
請求項８に係る発明は、請求項２に記載の通信ケーブル支持部材において、前記第２の係合部が、前記第２の伸延部の先端から水平方向に一体的に延びる第７の伸延部と、前記第７の伸延部から垂直上方向に一体的に延びる第８の伸延部と、前記第８の伸延部から水平方向に一体的に延びる第９の伸延部と、前記第９の伸延部から垂直下方向に一体的に延びる第１０の伸延部と、前記第１０の伸延部から水平方向に一体的に延びる第１１の伸延部と、前記第１１の伸延部から垂直上方向に一体的に延びる第１２の伸延部と、からなっていることを特徴とする。
【００２９】
請求項９に係る発明は、請求項８に記載の通信ケーブル支持部材において、前記第７の伸延部は、水平面上において、前記通信ケーブル受留部に対して、第４の所定角度で設けられ、前記第９の伸延部は、前記第７の伸延部に対して、第５の所定角度で設けられ、前記第１１の伸延部は、前記第９の伸延部に対して、第６の所定角度で設けられていることを特徴とする。
【００３０】
請求項１０に係る発明は、請求項８および９のいずれかに記載の通信ケーブル支持部材において、前記第２の係合部の前記第７の伸延部と、前記第８の伸延部と、前記第９の伸延部と、前記第１０の伸延部と、前記第１１の伸延部と、前記第１２の伸延部とが、前記吊線を取り囲むように係合することを特徴とする。
【００３１】
請求項１１に係る発明は、請求項１０に記載の通信ケーブル支持部材おいて、前記通信ケーブル支持部材が前記吊線に取り付けられた状態において、前記吊線の下方向に、前記第７の伸延部と前記第１１の伸延部とが位置し、前記吊線の上方向に、前記第９の伸延部が位置し、前記吊線の左右方向に、前記第８の伸延部と前記第１０の伸延部と前記第１２の伸延部が位置することを特徴とする。
【発明の効果】
【００３２】
横方向且つその他の方向からの力が加わっても吊線から外れることを防止する効果がある。
【図面の簡単な説明】
【００３３】
【図１】本願発明を実施した通信ケーブル支持部材１が電柱間に架設された吊線３に取り付けてある状態を示す概略図である。
【図２】図１に示した通信ケーブル支持部材１が吊線３に取り付けられた状態の拡大斜視図である。
【図３】図１に示した通信ケーブル支持部材１を示すものであり、（ａ）は、通信ケーブル支持部材１のみの斜視図であり、（ｂ）は、吊線３に取り付けられた状態の通信ケーブル支持部材１の斜視図である。
【図４】図１に示した通信ケーブル支持部材１を示すものであり、（ａ）は、通信ケーブル支持部材１のみの平面図であり、（ｂ）は、吊線３に取り付けられた状態の通信ケーブル支持部材１の平面図である。
【図５】図１に示した通信ケーブル支持部材１を示すものであり、（ａ）は、通信ケーブル支持部材１のみの側面図であり、（ｂ）は、吊線３に取り付けられた状態の通信ケーブル支持部材１の側面図である。
【図６】図１に示した通信ケーブル支持部材１を示すものであり、（ａ）は、通信ケーブル支持部材１のみの正面図であり、（ｂ）は、吊線３に取り付けられた状態の通信ケーブル支持部材１の正面図である。
【図７】図１に示した通信ケーブル支持部材１を示すものであり、（ａ）は、通信ケーブル支持部材１のみの背面図であり、（ｂ）は、吊線３に取り付けられた状態の通信ケーブル支持部材１の背面図である。
【図８】従来の通信ケーブル支持部材を示す正面図である。
【発明を実施するための形態】
【００３４】
図１は、本願発明を実施した通信ケーブル支持部材１が電柱間に架設された吊線３に取り付けてある状態を示す概略図であり、図２は、図１に示した通信ケーブル支持部材１が吊線３に取り付けられた状態の拡大斜視図である。
【００３５】
また、図３〜図７は、図１に示した通信ケーブル支持部材１を示すものであり、図３（ａ）は、通信ケーブル支持部材１のみの斜視図であり、図３（ｂ）は、吊線３に取り付けられた状態の通信ケーブル支持部材１の斜視図であり、図４（ａ）は、通信ケーブル支持部材１のみの平面図であり、図４（ｂ）は、吊線３に取り付けられた状態の通信ケーブル支持部材１の平面図であり、図５（ａ）は、通信ケーブル支持部材１のみの側面図であり、図５（ｂ）は、吊線３に取り付けられた状態の通信ケーブル支持部材１の側面図であり、図６（ａ）は、通信ケーブル支持部材１のみの正面図であり、図６（ｂ）は、吊線３に取り付けられた状態の通信ケーブル支持部材１の正面図であり、図７（ａ）は、通信ケーブル支持部材１のみの背面図であり、図７（ｂ）は、吊線３に取り付けられた状態の通信ケーブル支持部材１の背面図である。
【００３６】
図１に示すように、本願発明を実施した通信ケーブル支持部材１は、電柱５ａ、５ｂ間に架設された吊線３に取り付けられ、通信ケーブル受留部１ａへ通信ケーブル７を通すことにより、吊線３に通信ケーブル７が支持されるようになっている。
【００３７】
なお、この通信ケーブル支持部材１は、スチール等の弾性部材からなっている。
【００３８】
なお、通常は、吊線３に、複数の通信ケーブル支持部材１が等間隔に取り付けられて、吊線３に通信ケーブル７を支持する。
【００３９】
図２〜図７に示すように、通信ケーブル支持部材１は、通信ケーブル７を通す通信ケーブル受留部１ａと、通信ケーブル受留部１ａを吊線３に取り付けるために、通信ケーブル受留部１ａの一端に設けられた第１の係合部１ｄと、通信ケーブル受留部１ａを吊線３に取り付けるために、通信ケーブル受留部１ａの他端に設けられた第２の係合部１ｅとを有している。
【００４０】
より詳しく説明すると、通信ケーブル受留部１ａは、通信ケーブルを受け留るように半円形状に形成されており、その半円形状の受留部の両端からそれぞれ上方（垂直上方向Ｘ１：図２参照）に延びる第１および第２の伸延部１ｂ、１ｃを有しており、第１の伸延部１ｂの先端１ｂ１には、電柱間に架設された吊線３に係合する第１の係合部１ｄが一体的に設けられ、第２の伸延部１ｃの先端１ｃ１には、電柱間に架設された吊線３に係合する第２の係合部１ｅが一体的に設けられている。
【００４１】
そして、第１の係合部１ｄは、第１の伸延部１ｂの先端１ｂ１から水平方向Ｙ（図２参照）に一体的に延びる第３の伸延部１ｄ１と、第３の伸延部１ｄ１から垂直上方向Ｘ１に一体的に延びる第４の伸延部１ｄ２と、第４の伸延部１ｄ２から一体的に延びる第５の伸延部１ｄ３と、第５の伸延部１ｄ３から一体的に延びる第６の伸延部１ｄ４とからなっている。
【００４２】
なお、図４（ａ）の平面図に示すように、水平面上において、第３の伸延部１ｄ１は、通信ケーブル受留部１ａに対して、第１の所定角度α１で設けられ、第５の伸延部１ｄ３は、第３の伸延部１ｄ１に対して、第２の所定角度α２で設けられ、第６の伸延部１ｄ４は、第５の伸延部１ｄ３に対して、第３の所定角度α３で設けられている。
【００４３】
さらに、図５（ａ）の側面図に示すように、垂直面上において、第５の伸延部１ｄ３は、第４の伸延部１ｄ２に対して、第７の所定角度α７で設けられ、第６の伸延部１ｄ４は、第５の伸延部１ｄ３に対して、第８の所定角度α８で設けられている。
【００４４】
なお、上記第１〜第３の所定角度α１〜α３は、α１＜α２＜α３となっており、この実施形態では、第３の所定角度α３は、約９０°となっているが、この限りではない。
【００４５】
そして、第２の係合部１ｅは、第２の伸延部１ｃの先端１ｃ１から水平方向Ｙに一体的に延びる第７の伸延部１ｅ１と、第７の伸延部１ｅ１から垂直上方向Ｘ１に一体的に延びる第８の伸延部１ｅ２と、第８の伸延部１ｅ２から水平方向Ｙに一体的に延びる第９の伸延部１ｅ３と、第９の伸延部１ｅ３から垂直下方向Ｘ２に一体的に延びる第１０の伸延部１ｅ４と、第１０の伸延部１ｅ４から水平方向Ｙに一体的に延びる第１１の伸延部１ｅ５と、第１１の伸延部１ｅ５から垂直上方向Ｘ１に一体的に延びる第１２の伸延部１ｅ６と、からなっている。
【００４６】
なお、図４（ａ）の平面図に示すように、水平面上において、第７の伸延部１ｅ１は、通信ケーブル受留部１ａに対して、第４の所定角度α４で設けられ、第９の伸延部１ｅ３は、第７の伸延部１ｅ１に対して、第５の所定角度α５で設けられ、第１１の伸延部１ｅ５は、第９の伸延部１ｅ３に対して、第６の所定角度α６で設けられている。
【００４７】
なお、上記第４〜第６の所定角度α４〜α６は、α４＜α５、α６となっており、この実施形態では、第５の所定角度α５は、約９０°、第６の所定角度α６は、約１００°となっているが、この限りではない。
【００４８】
次に、図２および図３（ｂ）〜図７（ｂ）を参照して、通信ケーブル支持部材１が吊線３に取り付けられた状態について説明する。
【００４９】
通信ケーブル支持部材１は、吊線３に取り付けられた状態において、その第１の係合部１ｄおよび第２の係合部１ｅが、吊線３を取り囲むように係合するようになる。
【００５０】
より詳しく説明すると、その第１の係合部１ｄの第３の伸延部１ｄ１と、第４の伸延部１ｄ２と、第５の伸延部１ｄ３と、第６の伸延部１ｄ４とが、吊線３を取り囲むように係合する。
【００５１】
すなわち、通信ケーブル支持部材１が吊線３に取り付けられた状態において、吊線３の下方向に、第３の伸延部１ｄ１と第６の伸延部１ｄ４とが位置し、吊線３の上方向に、第５の伸延部１ｄ３が位置し、吊線３の左右方向に、第４の伸延部１ｄ２と第５の伸延部１ｄ３とが位置するようになっている。
【００５２】
そして、その第２の係合部１ｅの第７の伸延部１ｅ１と、第８の伸延部１ｅ２と、第９の伸延部１ｅ３と、第１０の伸延部１ｅ４と、第１１の伸延部１ｅ５と、第１２の伸延部１ｅ６とが、吊線３を取り囲むように係合する。
【００５３】
すなわち、通信ケーブル支持部材１が吊線３に取り付けられた状態において、吊線３の下方向に、第７の伸延部１ｅ１と第１１の伸延部１ｅ５とが位置し、吊線３の上方向に、第９の伸延部１ｅ３が位置し、吊線３の左右方向に、第８の伸延部１ｅ２と第１０の伸延部１ｅ４と第１２の伸延部１ｅ６が位置するようになっている。
【００５４】
上述のような構成の通信ケーブル支持部材１の吊線３への取り付け方法について説明する。
【００５５】
まず、通信ケーブル支持部材１の第２の係合部１ｅの第８の伸延部１ｅ２と第１０の伸延部１ｅ４との間に吊線３が入るように通信ケーブル支持部材１を移動する。
【００５６】
次に、第２の係合部１ｅの第８の伸延部１ｅ２と第１０の伸延部１ｅ４との間に吊線３が入った状態で、第１の係合部１ｄを吊線３に近づけて行き、第３の伸延部１ｄ１と第５の伸延部１ｄ３との間に吊線３が入るように通信ケーブル支持部材１を吊線３の下側から移動し、第６の伸延部１ｄ４が吊線３の下に来るようにする。
【００５７】
上述のような構成の通信ケーブル支持部材１が、図２および図３（ｂ）〜図７（ｂ）に示すように吊線３へ取り付けられるので、図２および図４（ｂ）に示すように、通信ケーブル支持部材１が通信ケーブルを支持した状態で、矢印Ａあるいは矢印Ｂ方向の横方向又は、その他の方向から、雪や風等による大きな力が加わったり、又は、ロータリー除雪車からの雪による大きな力が加わっても、通信ケーブル支持部材１の第１の係合部１ｄおよび第２の係合部１ｅが吊線３から外れることはない。
【００５８】
より詳しく説明すると、例えば、通信ケーブル支持部材１等に横方向Ａから雪や風等による大きな力が加わった場合、第１の係合部１ｄにおいては、その第５の伸延部１ｄ３と第６の伸延部１ｄ４とが、吊線３からの離脱を防ぎ、第２の係合部１ｅにおいては、その第８の伸延部１ｅ２と第１２の伸延部１ｅ６とが、吊線３からの離脱を防ぐ。
【００５９】
また、例えば、通信ケーブル支持部材１等に横方向Ｂから雪や風等による大きな力が加わった場合、第１の係合部１ｄにおいては、その第４の伸延部１ｄ２と第５の伸延部１ｄ３とが、吊線３からの離脱を防ぎ、第２の係合部１ｅにおいては、その第９の伸延部１ｅ３と第１０の伸延部１ｅ４と第１１の伸延部１ｅ５とが、吊線３からの離脱を防ぐ。
【００６０】
このように、横方向Ａ、Ｂ又は、その他の方向から大きな力が加わっても、通信ケーブル支持部材１が吊線３から外れることはないので、通信ケーブル支持部材１をもう一度付け直す必要もなく、無駄な労力をかける必要もなくなる。
【００６１】
また、通信ケーブル支持部材が吊線から外れると道路にケーブルが垂れ下がり、非常に危険な状態になるが、そのような可能性が無いので、定期的に安全を監視する必要もなく、安全確保のための作業が増えてしまう問題も生じない。
【００６２】
また、通信ケーブル支持部材１の通信ケーブル受留部１ａに通信ケーブル７を載せながら通信ケーブル支持部材１を配設して行けば、通信ケーブル７も一緒に配線することもできる。
【００６３】
この発明は前述の発明の実施の形態に限定されることなく、適宜な変更を行うことにより、その他の態様で実施し得るものである。
【符号の説明】
【００６４】
１  通信ケーブル支持部材
３  吊線
５  電柱
７  通信ケーブル
１ａ  通信ケーブル受留部
１ｄ  第１の係合部
１ｅ  第２の係合部
【図１】
2018113820.tif 000003
【図２】
2018113820.tif 000004
【図３】
2018113820.tif 000005
【図４】
2018113820.tif 000006
【図５】
2018113820.tif 000007
【図６】
2018113820.tif 000008
【図７】
2018113820.tif 000009
【図８】
2018113820.tif 000010